(57)【要約】【課題】食材を載せるだけで、その種類、名称、食材に含まれるカロリー、栄養素等のデータをスクリーンに表すこと。【解決手段】プログラムをもってデータの入力、出力、記憶、分析、運算を処理するマイクロプロセッサー３０と、プログラムの操作インタフェースを現すスクリーン１２と、マイクロプロセッサー３０と連結して、食材の種類、食材の名称、カロリー、栄養素と含有量、食用効果等を記憶した概括性食材データバンク１３２と、食材を載置するための秤台１１と、秤台１１及びマイクロプロセッサー３０と連結して、食材の重さを測るとマイクロプロセッサー３０が概括性食材データバンク１３２から対応する食材及びそれのデータを探し出して、食材に含まれるカロリー、栄養素含有量等のデータをスクリーン１２に現す重量感知装置１５とを含む。【選択図】図１
0003141974.tif 000002
【実用新案登録請求の範囲】
【請求項１】
電子秤であって、
電子秤本体の内部に設けられたプログラム(program)をもってデータ(data)の入力、出力、記憶、分析、運算を処理するマイクロプロセッサー(microprocessor)３０と、
使用者が見やすい位置に設けられ、内部に設けられたプログラムの操作インタフェース(interface)を現すスクリーン(screen)１２と、
電子秤本体の内部に設けられ、マイクロプロセッサー３０と連結して、普遍的多種食材の種類、食材の名称、カロリー(calorie)、栄養素、栄養素の含有量、食用効果等資料を記憶した概括性食材データバンク(databank)１３２と、
電子秤本体の頂上面に設けられ、測りたい食材を載置するための秤台１１と、
電子秤本体の内部に設けられ、前記秤台１１及びマイクロプロセッサー３０と連結して、食材の重さを測るとマイクロプロセッサー３０が概括性食材データバンク１３２から対応する食材及びそれのデータを探し出し、更にその重さの食材に含まれるカロリー、栄養素含有量等のデータをスクリーン１２に現す重量感知装置１５とを含むことを特徴とする、
電子秤。
【請求項２】
更に前記マイクロプロセッサー３０と連結し、最少一人の電子秤使用者のデータを記憶する使用者身分データバンク１３１を含むことを特徴とする、請求項１記載の電子秤。
【請求項３】
更に前記マイクロプロセッサー３０と連結し、電子秤本体の外部に設けられて外部使用者の入力のためのキー(key)、タッチ(touch)式スクリーン、または外部キーボード(key board)を備えた入力装置１４を含むことを特徴とする、請求項２記載の電子秤。
【請求項４】
更に前記マイクロプロセッサー３０と外部システム(system)１７とをオンライン(on line)するためのオンライン装置１６を含むことを特徴とする、請求項１記載の電子秤。
【請求項５】
前記外部システム１７は食品データバンクシステム１７２、使用者身分データバンクシステム１７１及び医療サービスステーション(service station)１７３であることを特徴とする、請求項４記載の電子秤。
【請求項６】
更に前記マイクロプロセッサー３０と連結し、前記電子秤本体内、または電子秤本体外に設けられたプリント(print)装置１８を含むことを特徴とする、請求項１記載の電子秤。
【請求項７】
更に前記電子秤本体内に設けられ、前記マイクロプロセッサー３０と連結し、最少一人の使用者が日常生活に於いて常に食用する食品の種類、食品の名称、カロリー及び栄養素を記憶する個人化食品データバンク１３３を含むことを特徴とする、請求項１記載の電子秤。
【請求項８】
更に前記電子秤本体内に設けられ、前記マイクロプロセッサー３０と連結し、最少一人の使用者の過去ある時間内の飲食データを記憶する飲食記録データバンク１３４を含むことを特徴とする、請求項７記載の電子秤。
【請求項９】
更に前記マイクロプロセッサー３０内に設けられてあるプログラムに含まれてスクリーン1２に現れる諮問補助インタフェース１９を含むことを特徴とする、請求項１記載の電子秤。
【考案の詳細な説明】
【技術分野】
【０００１】
本考案は重さを測る装置に関するもので、更に詳しく言えば電子秤に関し、その電子秤は主として食品の重さを測り、かつ測った食品の栄養成分、カロリー等栄養データを表すことに用いられる電子秤に関するものである。
【背景技術】
【０００２】
高血圧、糖尿病、痛風等多くの病気は体重及び過量または不均衡な栄養素の摂取と関連があることが証明されている。
これら病気の予防及び治療に於いて、飲食のコントロール(control)は極めて重要なキーポイント(key point)であるが、非常に実行しにくい部分でもある。
その主な原因は患者が確実に自分はどの食品を厳格に制限したり、または摂取してはいけないことがわからず、しかも如何にして摂取したカロリーを計算するか、摂取した食べ物にどのような栄養素及び含有量があるかがわからないからである。
さらに自分はどのような栄養素を摂取し過ぎか、または不足しているか、自分の飲食が不均衡であるかがわからないからである。
そのため、医師または栄養士の助言にしたがって飲食をコントロールすることができない。
【０００３】
現在、飲食のカロリー計算をする主な方法は、先ず重さを測って食材の重さを把握し、それから食材カロリー表を調べてその重さの食材に含まれるカロリーに換算しているが、最終的なカロリーを得るまでの過程が面倒であり、計算間違をし易い。
このようなカロリー計算を長く続けることが難しいので、飲食のコントロールはますます難しくなるだけでなく、摂取カロリーをコントロールするだけで、各種の栄養素の摂取、及び均衡に注意せず、ただ一方的に飲食をコントロールするだけであるので、本来の飲食コントロールの目的及び効果を達成することができない。
【考案の開示】
【考案が解決しようとする課題】
【０００４】
本考案の目的は、使用者が日常生活に於いて容易に飲食のコントロールをすることができ、それによって健康管理を行い、確実な効果が得られるよう助けることができる、電子秤を提供するものである。
【課題を解決するための手段】
【０００５】
本考案の技術思想は電子秤で以って食材の重さを測り、並びにその食材の種類、名称、及びその重さの食材に含まれるカロリー、栄養素等データをスクリーンに表すことである。
即ち本願の第１考案は、電子秤であって、電子秤本体の内部に設けられたプログラム(program)をもってデータ(data)の入力、出力、記憶、分析、運算を処理するマイクロプロセッサー(microprocessor)３０と、使用者が見やすい位置に設けられ、内部に設けられたプログラムの操作インタフェース(interface)を現すスクリーン(screen)１２と、電子秤本体の内部に設けられ、マイクロプロセッサー３０と連結して、普遍的多種食材の種類、食材の名称、カロリー(calorie)、栄養素、栄養素の含有量、食用効果等資料を記憶した概括性食材データバンク(databank)１３２と、電子秤本体の頂上面に設けられ、測りたい食材を載置するための秤台１１と、電子秤本体の内部に設けられ、前記秤台１１及びマイクロプロセッサー３０と連結して、食材の重さを測るとマイクロプロセッサー３０が概括性食材データバンク１３２から対応する食材及びそれのデータを探し出し、更にその重さの食材に含まれるカロリー、栄養素含有量等のデータをスクリーン１２に現す重量感知装置１５とを含むことを特徴とする、電子秤を提供する。
本願の第２考案は、更に前記マイクロプロセッサー３０と連結し、最少一人の電子秤使用者のデータを記憶する使用者身分データバンク１３１を含むことを特徴とする、第１考案に記載の電子秤を提供する。
本願の第３考案は、更に前記マイクロプロセッサー３０と連結し、電子秤本体の外部に設けられて外部使用者の入力のためのキー(key)、タッチ(touch)式スクリーン、または外部キーボード(key board)を備えた入力装置１４を含むことを特徴とする、第２考案に記載の電子秤を提供する。
本願の第４考案は、更に前記電子秤１０と前記マイクロプロセッサー３０と連結し、外部システム(system)１７とオンライン(on line)するためのオンライン装置１６を含むことを特徴とする、第１考案に記載の電子秤を提供する。
本願の第５考案は、前記外部システム１７は食品データバンクシステム１７２、使用者身分データバンクシステム１７１及び医療サービスステーション(service station)１７３であることを特徴とする、第４考案に記載の電子秤を提供する。
本願の第６考案は、更に前記マイクロプロセッサー３０と連結し、前記電子秤本体内、または電子秤本体外に設けられたプリント(print)装置１８を含むことを特徴とする、第１考案に記載の電子秤を提供する。
本願の第７考案は、更に前記電子秤本体内に設けられ、前記マイクロプロセッサー３０と連結し、最少一人の使用者が日常生活に於いて常に食用する食品の種類、食品の名称、カロリー及び栄養素を記憶する個人化食品データバンク１３３を含むことを特徴とする、第１考案に記載の電子秤を提供する。
本願の第８考案は、更に前記電子秤本体内に設けられ、前記マイクロプロセッサー３０と連結し、最少一人の使用者の過去ある時間内の飲食データを記憶する飲食記録データバンク１３４を含むことを特徴とする、第７考案に記載の電子秤を提供する。
本願の第９考案は、更に前記マイクロプロセッサー３０内に設けられてあるプログラムに含まれてスクリーン1２に現れる諮問補助インタフェース１９を含むことを特徴とする、第１考案に記載の電子秤を提供する。
【考案の効果】
【０００６】
本考案の電子秤は測った食材の重さ、カロリー、栄養素、栄養素含有量等栄養データを表すことができる。
【０００７】
本考案の電子秤は測った食材の重さによってそれに含まれるカロリー及び栄養素の量を計算することができ、使用者は自分の計算を経ることなく、すぐにその食材の栄養データを知ることができる。
【０００８】
本考案の電子秤は使用者の名前、年齢、身長、体重、毎日の總カロリー建議値、特定栄養素の建議摂取量または制限摂取量を予め入力することができる。
前記電子秤で重さを測ると直ちに前記データと連結し、並びに対照、運算及び分析を行い、かつ対照、運算及び分析した結果を表して使用者の読み取りに用いられ、使用者はそれを判断して食材の量を適当に増減する。
前記電子秤は更に制限摂取量を超えた場合に提示消息を発出し、使用者にその食材の摂取を減らしまたは排除するよう注意する。
【０００９】
本考案の電子秤内には概括性食材データバンクが設けられ、普遍かつ多種食材の種類、食材名及びその食材のカロリー、栄養素、栄養素の含有量、食用の効果等詳細データが記憶される。
それらの食材はまだ調理されていない、例えば生の魚、豚肉、野菜、米、小麦粉等を指す。前記概括性食材データバンクは更新することができる。
【００１０】
本考案の電子秤内には個人化食品データバンクが設けられ、最少一人の特定者が日常生活に於いて常に食用する食品の種類、食品の名称、カロリー、栄養素及び栄養素が記憶されている。前記常に食用する食品は調理された複合式食品（例えばコーンスープ、餃子、野菜炒め、魚のフライ、ピザ等）を指す。前記個人化食品データバンクは更新することができる。
【００１１】
本考案の電子秤内にはある特定者の飲食データを入力し、並びに後日の調べのために飲食記録データバンクに記憶することができる。前記飲食データは調理された食品の名称、カロリー及び栄養素の含有量を指す。
【００１２】
本考案の電子秤は医療所、または健康管理センター等機構の医療サービスステーションと連結することができ、医療を参画したそれら機構の関連人員は介護された患者の飲食状況を充分に把握することができる。
【考案を実施するための最良の形態】
【００１３】
図１、図２に示すように、本考案の電子秤はマイクロプロセッサー３０、入力装置１４及び使用者身分データバンク１３１、概括性食材データバンク１３２、秤台１１、個人化食品データバンク１３３、飲食記録データバンク１３４、オンライン装置１６、プリント装置１８、諮問補助インタフェース１９を含む。
マイクロプロセッサー３０は電子秤１０内に設けられ、電子秤１０のデータの入力、出力、記憶、分析、運算の処理に用いられる。
それには内部に設けられたプログラムを備え、前記プログラムの操作インタフェースはスクリーン１２に現れ、スクリーン１２は電子秤１０の外部の使用者が見やすい位置に設けられてある。
【００１４】
入力装置１４及び使用者身分データバンク１３１は前記マイクロプロセッサー３０と連結し、入力装置１４は電子秤１０の外部に設けられて使用者の入力に用いられるキー、またはタッチ式スクリーン、または外部キーボードである。
使用者は入力装置１４をもって前記操作インタフェースに合わして指令を入力し、または使用者のデータを入力し、並びに使用者身分データバンク１３１に記憶するが、前記使用者のデータは例えば、氏名、年齢、高さ、体重、病気、特殊状況（例えば妊娠）、毎日の総カロリー建議値、特定栄養素の建議摂取量及び制限摂取量等である。
前記使用者身分データバンク１３１は新設、改修、削除、調査及びプリント可能である。
【００１５】
概括性食材データバンク１３２は前記電子秤１０の内部に設けられ、マイクロプロセッサー３０と連結して普遍的多種食材の種類、食材の名称、カロリー、栄養素、栄養素の含有量、食用効果等詳しいデータを記憶する。
前記食材は樹木状データ構造によって前記スクリーン１２に現れ、使用者の読み取り並びに前記入力装置１４を通じて選択することができる。
前記概括性食材データバンク１３２は新設、改修、削除、調査及びプリント可能である。
【００１６】
秤台１１は前記電子秤１０の頂上面に設けられ、測りたい食材を受けることに用いられる。
電子秤１０内に設けられる重量感知装置１５は秤台１１及びマイクロプロセッサー３０と連結し、食材の重さを測ることに用いられる。
並びに食材の種類、名称によって概括性食材データバンク１３２中のデータと対比、分析、運算を行い、更に前記食材の種類、名称及び測った重さに含まれるカロリー、栄養素の含有量等データを使用者の読み取りのためにスクリーン１２に表す。
使用者は重さを測った同時に直ちにその食材の栄養データを知り、食材の量を判断並びに増減することができる。
【００１７】
個人化食品データバンク１３３は前記電子秤１０内に設けられ、前記マイクロプロセッサー３０と連結し、最少一人の使用者が日常生活に於いて常に食用する食品の名称、食品のカロリー、栄養素及び栄養素の含有量を記憶する。
前記常に食用する食品は調理された複合式食品（例えばコーンスープ、餃子、野菜炒め、魚のフライ、ピザ等）を指す。
個人化食品データバンク１３３は新設、改修、削除、調査及びプリント可能である。
【００１８】
飲食記録データバンク１３４は前記電子秤１０内に設けられ、前記マイクロプロセッサー３０と連結し、最少一人の使用者の過去のある時間内の飲食データを記憶し、後日調べることに供され、その特定者が過去のある時間内での飲食概況を了解することができる。
前記飲食データは調理された食品の名称、カロリー及び栄養素の含有量を指す。飲食記録データバンク１３４は新設、改修、削除、調査及びプリント可能である。
【００１９】
オンライン装置１６は前記電子秤１０内に設けられて前記マイクロプロセッサー３０と連結し、外部システム１７とオンラインすることに用いられる。
前記外部システム１７は使用者身分データバンクシステム１７１、食品データバンクシステム１７２、及び医療サービスステーション１７３を含む。
オンライン装置１６は外部使用者の身分データバンクシステム１７１を前記電子秤１０とオンラインし、それによって使用者身分データバンク１３１を更新する。
オンライン装置１６は前記電子秤１０を医療所または健康管理センター等機構の医療サービスステーション１７３と連結し、前記飲食記録データバンク１３４中の飲食データを医療サービスステーション１７３へ伝送し、それによってそれら機構中の医療を参画した関連人員は、介護される患者の飲食状況を充分に把握することができる。
【００２０】
プリント装置１８は前記電子秤１０内または外部に設けられ、前記電子秤１０が処理したデータをプリントすることに用いられる。
【００２１】
諮問補助インタフェース１９は前記マイクロプロセッサー３０内に設けられたプログラムに含まれてスクリーン１２に現れ、前記入力装置１４をもって調理する食材の名称及び重さ、調味料の名称及び使用量、油量、調理方法等データを入力し、前記オンライン装置１６を通じて前記医療サービスステーション１７３へ伝送し、前記サービスステーションのコンピュータまたは関連人員（例えば栄養士）によってカロリー及び栄養素の含有量を計算した後、前記電子秤１０に送り戻し並びに諮問補助インタフェース１９に表す。
使用者は諮問補助インタフェース１９のすべてのデータを次の諮問のために前記個人化食品データバンク１３３に記憶することができる。
諮問補助インタフェース１９を利用するほか、使用者は調理された食品を撮影し、コンピュータ、ポータブル装置等方法を通じて前記医療サービスステーション１７３へ伝送し、前記食品に関するカロリー、栄養素等データを獲得することができる。
【００２２】
本考案の電子秤１０で食材の重さを測ると、使用者はスクリーン１２に現れる操作インタフェースに合わして対応する食材の種類、名称を選択することができ、重量感知装置１５が重さを測るとマイクロプロセッサー３０は概括性食材データバンク１３２と対比し、測った重さによってその食材のカロリー、栄養素の含有量を計算し、使用者の読み取りのためにスクリーン１２に表せ、使用者は重さを測る同時にその食材のカロリー、栄養素を把握して確認することができる。
前記マイクロプロセッサー３０は概括性食材データバンク１３２中の測った重さの食材に関する食用効能を、使用者の参考のために簡略にスクリーン１２に現すことができる。
本考案の電子秤１０の助力により、使用者は自分でカロリー表を調べ及び自分でカロリーを計算する面倒を経ることなく、飲食コントロールの操作技術はより簡単になり、日常生活に於いて容易に実現し、並びに確実な効果を得ることができる。
更に重要なことは使用者は自分が食べた食材のカロリー、栄養素、食用効能等栄養データを知ることができて、飲食コントロールの衛生教育の目的を達成することができる。
【００２３】
この外に、前記マイクロプロセッサー３０は更に進んで食材のカロリー、栄養素の含有量を計算し、使用者身分データバンク１３１中の総カロリー建議値、または特定栄養素建議摂取値等欄目と対比分析を行い、並びに予め設定した標準値を超えた場合はスクリーン１２に提示消息を表し、使用者にその食材の摂取を減少または排除するよう注意し、不当な食品を食べたために病気が再発するリスク（risk）を排除または低減することができる。
【００２４】
前記電子秤１０内に設けられるプログラムは、日を単位にし、使用者の当日に入力した食品の種類、名称、重量、カロリー、栄養素を記憶して一日の総量を運算することができる。
並びに使用者身分データバンク１３１中の毎日総カロリー建議値、または特定栄養素建議摂取量及び制限摂取量等データと対比分析を行い、並びに使用者に栄養の摂取状況を知らせるためにスクリーン１２に表す。
【図面の簡単な説明】
【００２５】
【図１】本考案に係る電子秤の配置図一である。
【図２】本考案に係る電子秤の配置図二である。
【図３】本考案に係る電子秤の配置図三である。
【符号の説明】
【００２６】
１０      電子秤
１１      秤台
１２      スクリーン
１３１    使用者身分データバンク
１３２    概括性食材データバンク
１３３    個人化食品データバンク
１３４    飲食記録データバンク
１４      入力装置
１５      重量感知装置
１６      オンライン装置
１７      外部システム
１７１    使用者身分データバンクシステム
１７２    食品データバンクシステム
１７３    医療サービスステーション
１８      プリント装置
１９      諮問補助インタフェース
３０      マイクロプロセッサー
【図１】
0003141974.tif 000003
【図２】
0003141974.tif 000004
【図３】
0003141974.tif 000005